Podtech/llm-jp-corpus-v4-ja_patent huggingface dataset:
(57)【特許請求の範囲】
【請求項１】
ベッセル内で媒体と処理材料に運動を与えて該処理材料を微粒子化し液体中に分散するようにした湿式媒体分散装置において、上記ベッセルの吐出口側から材料投入口側へ上記媒体と処理材料を環流させる循環流路を上記ベッセルの外方に設け、該循環流路にバルブを介し分離口を設け、該分離口に切換バルブを介して複数の分離手段を並置した媒体分離手段を接続したことを特徴とする湿式媒体分散装置。
【発明の詳細な説明】
【０００１】
【発明の属する技術分野】
本発明は、ベッセル内で媒体と処理材料に運動を与え該媒体間に生じるせん断力及び摩砕力により処理材料を微粒子化し、液体中に分散するようにした湿式媒体分散装置に関するものである。
【０００２】
【従来の技術】
湿式媒体分散装置に用いるガラスビ−ズ、セラミック、アルミナ、スチ−ルその他の媒体（メディア）は、近年その粒径が0.５mmφ，0.３mmφ等というように微小化し、中には0.１mmφの極めて微細な粒径の媒体も用いられるようになっている。一般に媒体分散装置のベッセルの吐出口部分には、処理材料と媒体を分離するためスクリ−ン式やギャップセパレ−タ−式等の種々の媒体分離機構が設けられているが、上記のように微小な媒体の場合には、スクリ−ン式でもギャップセパレ−タ−式でも分離機構部の磨耗、熱膨張等により媒体のかみ込みや目詰りを生じ、そのため該分離機構や媒体等が破損し、ベッセルから取り出した処理材料中に破片が混入するという事故を生じ、大きな問題となっている。
【０００３】
また、上記のような事態になると、分散装置の運転を停止し、装置を分解して補修したり、清掃したりしなければならず、多大の労力と時間を費やす原因となっていた。
【０００４】
【発明の解決課題】
本発明は、上述のように処理材料を媒体を用いて湿式分散する媒体分散装置において、媒体分離機構に目詰り等を生じても分散装置の運転を停止せずに作業を続行することができるようにした湿式媒体分散装置を提供することを目的とする。
【０００５】
【課題解決の手段】
本発明は、上記の目的を達成するためベッセルの吐出口部分で処理材料と媒体を分離せずに、上記ベッセルの吐出口と処理材料の投入口を循環流路で連絡し、上記媒体と処理材料を含むスラリ−を吐出口側から材料投入口側に環流して循環させ、所定の粒径まで分散した後、上記循環流路に設けたバルブを切換えて上記媒体と処理材料を媒体分離手段へ送り、上記ベッセルの運転とは独立した媒体分離手段で上記媒体と処理材料を分離するようにした湿式媒体分散装置が提供される。
【０００６】
【発明の実施の態様】
以下実施例と共に説明すると、湿式媒体分散装置本体（１）は、公知のように、ベッセル（２）が横型、縦型等種々の型式があるが、図においては横型のベッセル（２）を有する装置本体（１）を示してあり、該ベッセル（２）内には、図示を省略したディスク型、ピン型、アニュラ−型その他種々の型式の媒体攪拌手段が設けられ、材料投入口（３）から該ベッセル（２）内に投入した処理材料を媒体投入口（４）から該ベッセル（２）内に投入したビ−ズ等の媒体（メディア）により微粒子化し、液体中に分散し、吐出口（５）から吐出するようになっている。
【０００７】
而して、本発明においては、上記ベッセル（２）の外方で上記吐出口（５）側から材料投入口側（６）へ上記媒体と処理材料を含んだスラリ−を環流させるようパイプ、ホ−ス等で循環流路（７）を形成してあり、好ましくは、該循環流路（７）の途中に移送ポンプ（Ｐ）を設けて、積極的に上記スラリ−を循環させるようにしているが、ベッセル内でスラリ−を吐出口側へ流動させるようにしている装置等では該ポンプを省略することもできる。
【０００８】
上記循環流路（７）には、所望により圧力調整バルブ（８）を設けることができ、また適宜位置には２方向切換弁等のバルブ（９）を介して上記スラリ−を媒体分離手段(10)へ送る分離口(11)を設けてある。
【０００９】
上記媒体分離手段(10)としては、図においては分離タンク(12)の下部にフィルタ−メッシュ(13)等を有するフィルタ−装置が示され、該タンク(12)内を適宜攪拌するよう所望により攪拌機(14)を設けてあるが、電動ふるい、遠心分離器その他スラリ−の性状に応じて種々の形式の分離手段を用いることができる。
【００１０】
上記媒体分離手段(10)は、上記分離口(11)に接続されるが、切換バルブ(V1)，(V2)・・・を介して複数の分離手段(10)を並置しておくことが好ましい。この場合、分離手段は、同じ型式のものを複数用意してもよいし、数種の分離手段を組み合せてもよい。
【００１１】
上記構成により、上記材料投入口（３）からベッセル（２）内に投入された処理材料は、上記ベッセル（２）内で運動する媒体によりせん断力を与えられて微粒子化し、液体中に分散した状態で媒体と共にスラリ−状になって吐出口（５）から吐出され、循環流路（７）を通って材料投入口側（６）へ環流し、再び上記ベッセル（２）に流入してさらに分散される。
【００１２】
上述のようにして、上記処理材料が所望の粒径まで分散されたら、上記バルブ（９）を切換えて媒体と処理材料を含んだスラリ−を分離口(11)側へ供給する。該分離口(11)は、上記分離手段(10)に連通しているから、該分離手段(10)で媒体(15)と処理材料の分離を行い、製品をタンク(16)に回収する。この間に、上記バルブ（９）をもとに戻して再びベッセル（２）の材料投入口（３）及び媒体投入口（４）から処理材料と媒体を投入し連続して分散を行う。上記分離手段(10)により媒体と処理材料の分離が終了していないときや目詰りを生じたときは、上記バルブ(V1)，（V2) ・・・を適宜切換えて別の分離手段(10)・・・で分離を行えば、分散装置の運転を続行することができる。
【００１３】
【発明の効果】
本発明は上記のように構成され、ベッセルの外部に吐出口側と材料投入口側を連絡する循環流路（７）を設け、該循環流路を通して媒体と処理材料を含むスラリ−をベッセル内に循環させ、所定の分散状態になったら、上記循環流路に設けたバルブを切換えて上記スラリ−を分離手段へ送り、該分離手段で媒体と処理材料を分離するようにしたので、上記処理材料を例えば0.１mmφというような微小な媒体を用いて分散する際でも、従来のようにベッセルの吐出部分に設けた媒体分離装置を破損したり、目詰りさせるということがなく、製品に媒体等の破片が混入するおそれも生ぜず、安心して使用でき、ベッセルでの分散作業を連続的にできるので、高効率の湿式媒体分散装置が得られる。
【図面の簡単な説明】
【図１】本発明の一実施例を示す説明図。
【符号の説明】
１  装置本体    ２  ベッセル    ５  吐出口    ６  材料投入口側    ７循環流路    ８  圧力調整バルブ    ９  バルブ    10  媒体分離手段    11分離口    12  分離タンク    13  フィルタ−メッシュ    14  攪拌機
【図１】
0003924733.tif 000002
(57)【特許請求の範囲】
【請求項１】
腎臓由来のタイプ４コラーゲン又はそのペプタイドを抗原として、尿中の抗タイプ４コラーゲン又はそのペプタイド抗体を検出する自己免疫性腎疾患及び他疾患に伴う二次性腎疾患の検出方法。
【請求項２】
請求項１に於けるタイプ４コラーゲンがタイプ４コラーゲンＮＣ１である請求項１の検出方法
【請求項３】
タイプ４コラーゲン又はそのペプタイドよりなる自己免疫性腎疾患及び他疾患に伴う二次性腎疾患の治療剤。
【発明の詳細な説明】
【０００１】
【産業上の利用分野】
本発明は、自己免疫性腎疾患や他疾患に伴う二次性腎疾患の検出と治療薬に用いられる。
【０００２】
【従来の技術】
従来、自己免疫性腎疾患や他疾患に伴う二次性腎疾患の早期把握に、タイプ４コラーゲン又はそのペプタイドを抗原として、抗タイプ４コラーゲン又はそのペプタイド抗体を検出する方法はなく、タイプ４コラーゲン又はそのペプタイドを治療薬に用いることもなかった。
【０００３】
【発明が解決しょうとする課題】
本発明者は、長い間自己免疫性腎疾患や他疾患に伴う二次性腎疾患の治療薬開発と早期検出方法に努めてきた。
【０００４】
【課題を解決するための手段】
その結果、本発明者は、自己免疫性腎疾患や他疾患に伴う二次性腎疾患において、タイプ４コラーゲン又はそのペプタイドを抗原として抗タイプ４コラーゲン又はそのペプタイド抗体を検出する方法及び検出試薬と、タイプ４コラーゲン又はそのペプタイドを治療薬に用いることに至った。その結果、下記１、２、３、４を確立した。
【０００５】
１自己免疫性腎疾患や他疾患に伴う二次性腎疾患において、血液中の抗タイプ４コラーゲン抗体（以下抗タイプ４抗体）を免疫反応を用いて測定する方法とその試薬。
ヒト血清中の抗タイプ４抗体を、酵素免疫反応（ＥＬＩＳＡ）で測定する時、試薬として、１）タイプ４コラーゲンをコートしたプレート２）酵素標識抗ヒトＩｇＧ抗体３）発色基質（ＴＭＢ，過酸化水素）４）反応停止液（硫酸）を用いて測定する。
【０００６】
もちろん、免疫反応として、酵素免疫反応に限定されず、ＡＢ法、ＲＩＡ，免疫発光法、沈降反応、凝集反応他を含み、酵素標識の抗体としては、ポリクローナル又はモノクローナル抗体を問わず、又それを放射性物質、発光物質で標識した物、無標識物でも良い。
反応形式は、サンドイッチ法に囚われず、競合他でも良い。
プレートに替え、ガラス、磁性物質にしても良く、無しにして固相法を用いないことでも良い。
プレートにタイプ４コラーゲンをコートする時、コート物質をアビジン、ビオチン、又はこれらの結合した成分でも良い。
用いるタイプ４コラーゲンの動物種としては、ヒトが望ましく、ウシ、ブタ、ニワトリ、羊他の動物でも良くこれに限定されない。
タイプ４コラーゲンの由来臓器は、腎臓が望ましいが、これに限定されない。プレートにコートするタイプ４コラーゲンは、複数種を混合したものでも良い。又、タイプ４コラーゲンは、生体抽出物やリコンビナントのみでなく、構成ペプタイド（リコンビナント、特定分画、合成品を含む）でも良い。
更に第二抗体は、抗ヒトＩｇＧ抗体に限定されず、抗ヒトＩｇＭ抗体、抗ヒトＩｇＡ抗体、抗ヒトイムノグロブリン抗体でも良いが、抗ヒトＩｇＧ抗体の方が望ましい。
測定対象がラットやマウスなどヒト以外の時は、前述のヒト用試薬成分を対象動物に合わせる。
【０００７】
２血液中の抗特定分画タイプ４コラーゲン抗体を免疫反応を用いて測定する方法と試薬。
タイプ４コラーゲンを電気泳動で分画した後、このα３、α４の各分画を採取し、前述「１」と同様に、プレートにコートする。他は前述「１」と同様の試薬と測定法である。
同様にさらに限定を進めたα鎖（３、４の）ＮＣ１（そのリコンビナント）でも良く、その活性部位をペプタイド合成したものでも良いが高製造費となる。
【０００８】
３尿を検体として、上記「１」「２」を用いる試薬と測定法。
尿の場合は、他の腎臓疾患と自己免疫性腎疾患や他疾患に伴う二次性腎疾患において識別が容易である。尿の沈殿物を防ぐのには、トリス緩衝液で良いがそれ自身が反応に影響を与えないものであれば、代用できる。
【０００９】
４タイプ４コラーゲン又はそのペプチドを用いた治療薬。
各種動物由来の、例えばヒト、ウシ、ブタ、ニワトリ他由来の微量のタイプ４コラーゲン又はそのペプチドを経口投与し、経口免疫寛容を喚起し治療薬とする。
【００１０】
【実施例１】
自己免疫性腎疾患や他疾患に伴う二次性腎疾患の早期患者血清中の抗タイプ４抗体を測定した。健常者血清を対照とし、次の試薬で酵素免疫反応を行った。
試薬１、ヒト由来タイプ４コラーゲン、ウシ由来タイプ４コラーゲン、ブタ由来タイプ４コラーゲンを各０．５μｇ／穴をコートしたマイクロプレート
試薬２、ＨＲＰ標識抗ヒトＩｇＧ抗体（ウサギ由来ポリクローナル）
試薬３、ＴＭＢ試薬（ＴＭＢ０．１％，過酸化水素０．０２％、０．１Ｍクエン酸緩衝液）
試薬４、反応停止液（０．５Ｍ硫酸）
検体は、リン酸緩衝液で１００倍に希釈し、１００μｌ／穴を用いた。
測定方法：試薬１に検体１００μｌ／穴→２時間インキュベーション及び洗浄→試薬２、１００μｌ／穴→１時間インキュベーションおよび洗浄→試薬３、１００μｌ→３０分インキュベーション→試薬４、５０μｌ→測定（吸光度４５０ｎｍ）
結果：患者７検体中、抗タイプ４抗体は、ヒト、ウシ由来に対し各５例が、ブタ由来に対し４例が認められた。よって、本法は、自己免疫性腎疾患や他疾患に伴う二次性腎疾患の早期患者血清中の抗タイプ４抗体の存在を測定する方法となり得る。
【００１１】
実施例２
ヒト及びウシ由来タイプ４コラーゲンを電気泳動により分画した。この分画中の、α３とα４を、「実施例１」の「試薬１」を置き換え「実施例１」と同様の実験を行った。
結果：「実施例１」で陽性の検体中の抗タイプ４抗体はα３、α４分画とも反応した。よって、本法は、自己免疫性腎疾患や他疾患に伴う二次性腎疾患の早期患者血清中の抗タイプ４抗体及び抗タイプ４コラーゲンペプチドの存在を測定する方法となり得る。
【００１２】
実施例３
「実施例１」の検体「血清」に代えて「随時尿（２０倍濃縮）」を用いた。
結果：「実施例１」の早期患者は、全て陰性であった。しかし、自己免疫性腎疾患や他疾患に伴う二次性腎疾患で通院中の「尿」５例は４例が陽性を示した。よって、本法は、腎疾患中の自己免疫性腎疾患や他疾患に伴う二次性腎疾患の識別に有用である。
【００１３】
実施例４
タイプ４コラーゲン及びそのペプタイド（α３＋α４）の治療薬としての検討をした。
ラットについて、あらかじめ餌と共にタイプ４コラーゲン、及びペプタイド（α３＋α４）を与えておいた群、含まない群の３群（各５匹）を用意した。
ついで、ラット１匹当たりタイプ４コラーゲン（アジュバントでエマルジョンにしたもの）５００μｇをフットパットに投与した。腎疾患を起こさせる為である。
投与２週後から蛋白尿を観察した。
結果；４週以内に、非タイプ４コラーゲン群は全て蛋白尿が出現したが、ペプタイド投与群は３例、タイプ４コラーゲン投与群は２例が陽性であった。よって事前投与の抑制効果が確認された。
これはタイプ４コラーゲン及びそのペプタイド（α３＋α４）が自己免疫性腎疾患や他疾患に伴う二次性腎疾患治療薬としての可能性が示すものである。
【００１４】
【発明の効果】
本発明は、自己免疫性腎疾患や二次性腎疾患の早期発見及び他の腎疾患との識別更には、治療薬として有用である。
(57)【特許請求の範囲】
【請求項１】
生理時に使用するナプキンであって、吸収性、通気性、消臭性の特性を合わせ持ち肌に接触する経血を吸収する表面と、ショーツに接し経血をショーツに浸透させない加工をした裏面と、からなるナプキン主体部、並びに経血の横漏れ防止や位置ズレ防止等の役割をはたす羽状の物体が、上記ナプキン主体部の両側についている生理用ナプキンにおいて、上記ナプキン主体部と上記羽状の物体との境目の部分に施された、ナプキンの長手方向と平行な縦方向の、経血がショーツに浸透しない程度のミシン目加工により、上記ナプキン主体部から上記羽状の物体を切り離す事ができ、羽状の物体がついた生理用ナプキンとしても羽状の物体がついていない生理用ナプキンとしても使用できる、使い分けのできる生理用ナプキン。
【発明の詳細な説明】
【技術分野】
【０００１】  本発明は１形状ナプキンを形状変更し使分けができる生理用ナプキンに関する。
【背景技術】
【０００２】  従来の羽状の物体がついた生理用ナプキンの羽状部分を折りたたみ押し込む方法で羽状の物体がない生理用ナプキンになるものがあるが、構造が複雑なため、加工コストや使用方法が煩雑になる。
【特許文献１】  特開平０７−７５６５４号
【発明の開示】
【発明が解決しようとする課題】
【０００３】  生理時、経血の量や身に着けるショーツの構造上又は、日常生活の活動状況に応じて、羽状の物体がついた生理用ナプキンと羽状の物体がついていない生理用ナプキンを使分ける場合があり、両方のナプキンを購入しなくてはならない。【０００４】  本発明は、羽状の物体がついたナプキンのみを購入することで羽状の物体がついた生理用ナプキンとしても羽状の物体がついていない生理用ナプキンとしても使用できる使い分けのできる生理用ナプキンを実現するものである。
【課題を解決するための手段】
【０００５】生理時に使用するナプキンであって、吸収性、通気性、消臭性の特性を合わせ持ち肌に接触する経血を吸収する表面と、ショーツに接し経血をショーツに浸透させない加工をした裏面と、からなるナプキン主体部、並びに経血の横漏れ防止や位置ズレ防止等の役割をはたす羽状の物体が、上記ナプキン主体部の両側についている生理用ナプキンにおいて、上記ナプキン主体部と上記羽状の物体との境目の部分に施された、ナプキンの長手方向と平行な縦方向の、経血がショーツに浸透しない程度のミシン目加工により、上記ナプキン主体部から上記羽状の物体を切り離す事ができ、羽状の物体がついた生理用ナプキンとしても羽状の物体がついていない生理用ナプキンとしても使用できる、使い分けのできる生理用ナプキン。
【発明の効果】
【０００６】横漏れ防止や位置ズレ防止等の役割をはたす羽状の物体がショーツの構造上ショーツに着けにくい場合もある。経血が少量時は必ず必要ではない。ショーツとナプキンによる蒸れをナプキン主体部から羽状の物体を羽状の物体の切り取り線である破線状に細かく穴があいたミシン目加工より切り離し除去することにより軽減することも可能であり、羽状の物体がついていない生理用ナプキンとして使用することができるため、本発明の生理用ナプキンのみで日常生活の活動状況や状況に応じ、羽状の物体がついた生理用ナプキンと羽状の物体がついていない生理用ナプキンに使分けることができる。また複雑な生産加工技術を必要としない。使用方法も簡単なため年代を問わず使用できる。
【実施例】
【０００７】  以下に本発明の実施例を示した図面を基に具体的に説明する。【０００８】  本発明の生理用ナプキンは図１の１に示す従来の羽状の物体がついた生理用ナプキンに関するものである。【０００９】図２は本発明の生理用ナプキンの平面図でありナプキン主体部２の両側に羽状の物体３がついた生理用ナプキンであるが、ナプキン主体部２と羽状の物体３が１つの生理用ナプキンを構成する境目の部分４にナプキンの長手方向と平行な縦方向の、経血がショーツに浸透しない程度のミシン目加工が施してある。本発明の生理用ナプキンを使用する時に状の体３が必要ない時は、図３に示す３ａの羽状の物体を４ａのミシン目から切り離す。本図の中心より左側は、その方法の実施例でありナプキン主体部２より羽状の物体３が切り離されたものを示す。【００１０】このように、両方の羽状の物体３を切り離すと図４のように羽状の物体３がついていない、ナプキン主体部２のみの生理用ナプキンに形状変更することができ、羽状の物体がついた生理用ナプキン１を羽状の物体がついていない生理用ナプキン２として使用でき使い分けができる。
【図面の簡単な説明】
【００１１】
【図１】  羽状のついた従来の生理用ナプキンの平面図
【図２】  本発明の生理用ナプキンの平面図
【図３】  羽状の物体を切り離して使用する時の説明図
【図４】  羽状の物体を切り離し形状変更された図
【符号の説明】
【００１２】  １    従来の羽状の物体がついた生理用ナプキン
２    経血を吸収するナプキン主体部
３    左右同形の羽状の物体
３ａ  右側羽状の物
４    細かいミシン目加工
４ａ  右側ミシン目加工
【図１】
0003924762.tif 000002
【図２】
0003924762.tif 000003
【図３】
0003924762.tif 000004
【図４】
0003924762.tif 000005
(57)【特許請求の範囲】
【請求項１】
ペースト状食品を封入した長方形状のフィルム状容器であって、該容器の一端部を開口し、該開口された一端部の反対側の端部から該容器を順次巻回して該容器内のペースト状食品が該容器から押し出されるように構成されたペースト状食品容器に於いて、
上記容器の開口されるべき一端部の反対側の端部巾方向に沿って爪楊枝様の把持片を挿着するための孔が設けられ、且つ、該孔に挿着される爪楊枝様の把持片が該孔の略全長に及んで挿着され、更に、その一端部を該孔の孔口より外方へ突出させて把持部が形成されて成る巻回手段が該容器端部に設けられ、該巻回手段を用いる際に、前記孔に前記爪楊枝様の把持片を挿着し、該爪楊枝様の把持片の前記把持部を把持して該把持片を巻回することにより、該容器内のペースト状食品が該容器から抽出されるように構成したことを特徴とするペースト状食品容器。
【発明の詳細な説明】
【０００１】
【発明の属する技術分野】
この発明はペースト状食品容器に関するものであり、特に、みそ汁、スープ等のペーストを封入したペースト状食品容器に関するものである。
【０００２】
【従来の技術及び発明が解決しようとする課題】
従来の此種ペースト状食品容器は、ペースト状に形成されたみそ汁やスープ等をフィルム状の容器に周囲を密封して封入されて成るものである。
【０００３】
而して、該容器よりペースト状食品を取出す際は、該容器の一側端部をハサミ等にて切断して開口し、そして、容器の上下両面より指で押圧し、更に、押圧した状態で該指を前記開口方向へ摺動させ乍ら該ペースト状食品を該開口より取出している。
【０００４】
斯かる動作によって容器内のペースト状食品を取出す場合は、該容器内にどうしてもペースト状食品が残留する。そこで、該容器内のペースト状食品を完全に取出そうとするときには、前記指の押圧摺動操作を数回に及んで反覆せねばならず、該取出操作が面倒である。又、その動作中に於てペースト状食品が指に付着したり、或いは取出すための時間が長くかかる等の欠陥がある。
【０００５】
そこで、みそ汁やスープ等のペースト状食品を封入したフィルム状の容器から容易迅速、且つ完全に該ペースト状食品を取出すことのできるペースト状食品容器を提供するために解決せらるべき技術的課題が生じてくるのであり、本発明は該課題を解決することを目的とする。
【０００６】
【課題を解決するための手段】
本発明は上記目的を達成するために提案せられたものであり、ペースト状食品を封入した長方形状のフィルム状容器であって、該容器の一端部を開口し、該開口された一端部の反対側の端部から該容器を順次巻回して該容器内のペースト状食品が該容器から押し出されるように構成されたペースト状食品容器に於いて、上記容器の開口されるべき一端部の反対側の端部巾方向に沿って爪楊枝様の把持片を挿着するための孔が設けられ、且つ、該孔に挿着される爪楊枝様の把持片が該孔の略全長に及んで挿着され、更に、その一端部を該孔の孔口より外方へ突出させて把持部が形成されて成る巻回手段が該容器端部に設けられ、該巻回手段を用いる際に、前記孔に前記爪楊枝様の把持片を挿着し、該爪楊枝様の把持片の前記把持部を把持して該把持片を巻回することにより、該容器内のペースト状食品が該容器から抽出されるように構成したペースト状食品容器を提供するものである。
【０００７】
【発明の実施の形態】
以下、本発明の一実施の形態を図１乃至図３に従って詳述する。図に於て１はペースト状食品２を封入したフィルム状の容器である。該容器１は通常、食品に適するフィルム状の材質が選択せられる。又、該ペースト状食品はみそ汁やスープ等の原材料として予めペースト状に形成されたものであり、該ペースト状食品を茶碗等に収容し、之に湯を注ぐことによってインスタントのみそ汁或いはスープ等が得られることになっている。
【０００８】
而して、該容器１は平面視長方形であって、巾方向の一端部がハサミ等によって切断されて開口部３が設けられるのであるが、該開口部３の反対側の端部巾方向に沿って爪楊枝様の把持片４を挿着するための孔が設けられており、更に、該孔に挿着せられるべき爪楊枝様の把持片４は該孔の全長に及んで挿着され、且つ、その一端部４ａが該孔の孔口より外方へ突出して把持部を形成し、斯くして、容器１の前記開口部の反対側の端部から該容器を順次巻回して該容器１内のペースト状食品を抽出するための巻回手段５が形成される。又、該巻回手段５としては、前記爪楊枝様の把持片４は該巻回手段５の操作時に設けてもよい。
【０００９】
そこで、容器１に封入されているペースト状食品２を該容器１より取出す場合は、先ず、該容器１の巾方向一端部をハサミ等にて切断して開口部３を設け、そして、この開口部３の反対側に設けてある巻回手段５の把持片４の前記一端部４ａを把持し、そして、該把持片４を前記開口部３方向へ向って巻回していく。然るときは、該容器１内のペースト状食品２は該巻回手段５の巻回動作によって押圧され乍ら前記開口部３方向へ移動し、該開口部３より外部へ抽出されることになる。従って、単に、前記把持片４の一端部４ａを把持して巻回動作を為すことによって容器１内のペースト状食品２は容易、迅速、且つ、完全に取出されることができ、更に、指等に該ペースト状食品２が付着するようなこともない。又、該把持片４は使用後に於ては爪楊枝としても使用されることができる。
【００１０】
尚、本発明は、本発明の精神を逸脱しない限り種々の改変を為すことができ、そして、本発明が該改変されたものに及ぶことは当然である。
【００１１】
【発明の効果】
本発明は上記一実施の形態にて詳述したように、ペースト状食品を封入したフィルム状の容器の一端部巾方向に爪楊枝様の把持片を挿着するための孔が設けられており、該孔の全長に及んで該爪楊枝様の把持片が挿着され、且つ、その一端部が該孔から外方へ突出して把持部が形成されて成る巻回手段を設けてあるので、該容器内のペースト状食品を取出して、例えばみそ汁やスープ等を作る場合は、先ず該巻回手段の反対側の巾方向一端部をハサミ等によって切断して開口部を形成し、そして、該巻回手段の前記把持片を把持して巻回し乍ら前記開口部に及ぶとき、容器内のペースト状食品は該巻回手段によって押圧され乍ら前記開口部に至り、そして、該容器内より殆ど完全に該ペースト状食品が取出されることができる。
【００１２】
従って、該ペースト状食品の取出し操作も容易迅速に行われ、且つ、容器内のペースト状食品は殆ど完全に該容器内より取出され、極めて経済的となり、且つ、該ペースト状食品の取出し時に指等に該ペースト状食品が付着するようなこともなくなり、取出しの操作性が極めて向上する等、正に諸種の効果を奏する発明である。
【図面の簡単な説明】
【図１】本発明の一実施の形態を示し、ペースト状食品容器の平面図。
【図２】図１のＡ−Ａ線断面図。
【図３】図１のペースト状食品容器に設けられている巻回手段によって容器内のペースト状食品を取出している状態を示す縦断面図。
【符号の説明】
１              容器
２              ペースト状食品
３              開口部
４              把持片
４ａ 一端部
５              巻回手段
【図１】
0003924629.tif 000002
【図２】
0003924629.tif 000003
【図３】
0003924629.tif 000004
(57)【特許請求の範囲】
【請求項１】
複数の主柱で構成する塔状物の主柱間に接続される鋼管よりなるブレース材、該ブレース材の管端開口部には、直径部分に割込み管外に突出する板状の接続部材が、管端開口部を半月状に２分割して設けられ、上記ブレース材の管端開口部を密閉する密閉装置は、一方の開口部に対応した半月形状であり、該開口部に密着する縁部を持つ上部金物と管内に挿入される半月形状の下部金物、両金物は半月形の略中心部を長足のボルトで連結されており、かつ該両金物間には粘性のシーリング材が介装されると共に、上記下部金物の外方にバネ片が上記ブレース材の内周壁面に適宜圧接して設けられてなり、上記ボルトを回転することにより、上部金物及び下部金物は互いに引寄せられ、上記シーリング材を圧搾して前記管端開口部の間隙に侵入させ該開口部を密閉すべく構成したことを特徴とする管端開口部の密閉装置。
【発明の詳細な説明】
【０００１】
【発明の属する技術分野】
この発明は鋼構造の塔状物、例えば送電、通信等の鉄塔における鋼管を採用したブレース材（腹材）の管端開口部の密閉に関して、密閉精度の向上、及び装着作業の容易性を高配した密閉装置に係るものである。
【０００２】
【発明が解決しようとする課題】
上記したブレース材は、その管端開口部より板状の接続部材が開口部の直径部分に割込み、管外に突出して設けられ鉄塔主柱のガセットプレートに継手として接続されている。  この場合、管端開口部は半月状に２個が開口しており、管内に対し無防備であり、鉄塔は屋外設置であるから鳥類の営巣や風水等の外気環境による管内の劣化を余儀なくされ、当該鉄塔の耐用命数の短縮原因ともなっている。
【０００３】
上記事情より、ブレース材の管端開口部に金網や金属片を取付けて、鳥類の営巣防止することがなされたが、外気環境よりの保護は充分とは言えず、近年では上記開口部を密閉することが提案されて来た。  更には開口部を水密的に塞ぐことや、装着作業の容易化を特徴とする密閉装置が本出願人より先になされ（特願平１１−３７７００３号）、本発明は、上記先願発明に対し密閉精度の向上、及び装着作業の一層の容易化を課題としてなされたものである。
【０００４】
【課題を解決するための手段】
本発明は、複数の主柱で構成する塔状物の主柱間に接続される鋼管よりなるブレース材、該ブレース材の管端開口部には直径部分に割込み、管外に突出する板状の接続部材が管端開口部を半月状に２分割して設けられ、上記ブレース材の管端開口部を密閉する密閉装置は、一方の開口部に対応した半月形状であり、該開口部に密着する縁部を持つ上部金物と管内に挿入される半月形状の下部金物、両金物は半月形の略中心部を長足ボルトで連結されており、かつ該両金物間には粘性のシーリング材が介装されると共に、上記下部金物の外方にバネ片が上記ブレース材の内周壁面に適宜圧接して設けられてなり、上記ボルトを回転することにより上部金物及び下部金物は互いに引寄せられ、上記シーリング材を圧搾して前記管端開口部の間隙に侵入させ、該開口部を密閉すべく構成した管端開口部の密閉装置をもって、その解決するための手段とするものである。
【０００５】
【実施例】
本発明の密閉装置を図１にその構成を、図２に同装置を管端開口部に装着した状態をそれぞれに示すものである。  ブレース材１は、その管端にＵ字プレートが接続部材１１として管端開口部の直径部分に割込み管外に突出して設けられ、従って管端は半月状に２個が開口している。  密閉装置２は、この半月状の開口部にそれぞれ装着される（ブレース材１の他方の管端にも同様に装着される。）上部金物２１は、半月形状でありその孤上に沿って縁部２２を持ち、管端の縁部及び内外周壁にパッキング材２７を介して当接するよう溝状に設けられる。また、半月形の略中心部にボルト孔２１′が穿設され、長足のボルト２３は密閉装置２を貫通する如くして、下部金物２４のネジ孔２４′に螺合している。  上部金物２１と下部金物２４との間には、パッキング材２７及びシーリング材２５が介装され、このほか下部金物２４の外方にはバネ片２６が設けられ、密閉装置２を構成している。この場合、シーリング材２５は粘性の高い不乾性の材料（実施例ではブチル系のゴムを主剤とするシーリング材を用いた）であり、加圧により流動変形するものの、加圧を解除してもその変形した形状を保持する。また、パッキング材２７はシーリング材２５の展性を補助する為にゴムシートを成型して用いたものである。
【０００６】
上記構成よりなる密閉装置２は、ブレース材１の開口部より下部金物２４を先方として管内にバネ片２６を内周壁に接触させながら、上部金物２１の縁部２２の溝口が管端の縁部に接する位置まで挿入する。このとき、密閉装置２はバネ片２６のブレース材１の内周壁へのバネバイアスによってその位置に保持される（図２）。  次いでボルト２３を回転させると、上部金物２１と下部金物２４は互いに引寄せられるが、下部金物２４はバネ片２６のフリクションにより挿入された位置にとどまり、上部金物２１がパッキング材２７を介して、シーリング材２５を押圧しながら管内に沈み込み、縁部２２の溝部分が管端の縁部及び内外周壁と嵌合し、同時に圧搾されたシーリング材２５は、その形状を流動変化して管端開口部の周囲、細隙その他必要な窩部に侵入して開口部は確実に密閉される（図３）。
【０００７】
密閉装置２は上記した工程で管端開口部に装着されるが、補足的にはシーリング材２５の侵入させるべきスペース量によっては更にボルト２３を回転して、上下両金物間を接近させ、シーリング材２５を最大限に押出せばよく、この場合バネ片２６のフリクションが屈服して、下部金物２４は管端方向に引戻される。なお、シーリング材２５は比較的高い粘性を有するから、下部金物２４とシーリング材２５との間に、下部金物と略同形でボルト孔を穿設した圧板と板バネを介在させて、間接的に該板バネ圧を利用して徐々にシーリング材２５を流動変形させることなどが考えられる。
【０００８】
【発明の効果】
本発明の密閉装置は上述した構成よりなり、その装着に際してブレース材に挿入して、一担保持されるから管外への脱落を防ぎ、かつボルトを回転させるのみの片手作業により、確実に開口部の水密的な密閉がなされて、無防備であったブレース材の内部の腐蝕劣化を鳥類の営巣から、汚染された大気の侵入よりよく防ぎ得て、当該塔状物の耐用命数を長期なものとする効果を有する。
【図面の簡単な説明】
【図１】斜視図。本発明の密閉装置の構成を示す図面。
【図２】斜視図。同装置を管端開口部に装着した状態を示す図面。
【図３】断面図。実施例に示した同装置を管端開口部に挿入した状態を示す図面。
【図４】断面図。同装置の装着が完了した状態を示す図面。
【符号の説明】
２．‥‥‥‥密閉装置      ２４．‥‥‥‥下部金物
２１．‥‥‥‥上部金物      ２５．‥‥‥‥シーリング材
２２．‥‥‥‥縁部          ２６．‥‥‥‥バネ片
２３．‥‥‥‥ボルト        ２７．‥‥‥‥パッキング材
【図１】
0003924645.tif 000002
【図２】
0003924645.tif 000003
【図３】
0003924645.tif 000004
【図４】
0003924645.tif 000005
(57)【特許請求の範囲】
【請求項１】
糠漬けした鰮の身を食用油に浸漬してなる鰮の加工食品。
【請求項２】
前記食用油は、脱ろう済みの胡麻油であることを特徴とする請求項１記載の鰮の加工食品。
【請求項３】
糠漬けした鰮を水洗いして身を解ぐし、容器に投入して食用油を充填することを特徴とする鰮の加工食品の製造方法。
【請求項４】
鰮は、水洗い後に焼くことを特徴とする請求項３記載の鰮の加工食品の製造方法。
【請求項５】
容器には、唐辛子を投入することを特徴とする請求項３または請求項４記載の鰮の加工食品の製造方法。
【請求項６】
鰮は、身から骨を除去することを特徴とする請求項３ないし請求項５のいずれか記載の鰮の加工食品の製造方法。
【発明の詳細な説明】
【０００１】
【発明の属する技術分野】
この発明は、糠漬けした鰮（いわし）の身を利用する鰮の加工食品と、その製造方法に関する。
【０００２】
【従来の技術】
鰮は、糠漬けすることにより、風味のよい保存食品を作ることができる。
【０００３】
鰮の糠漬けは、生鰮を１週間程度塩漬けにし、米糠、糀、唐辛子によって漬け込み、魚醤を加えて半年以上熟成させて製造する。なお、糠漬けした鰮は、糠を除去し、適当な大きさに切断してそのまま食することができる。
【０００４】
【発明が解決しようとする課題】
かかる従来技術によるときは、糠漬けした鰮は、食前に糠を除去する必要があり、面倒である上、糠の香りが強いため、若い消費者層の好みに合わず、他の食材と合わせて調理することが難しいという問題があった。
【０００５】
そこで、この発明の目的は、かかる従来技術の問題に鑑み、糠漬けした鰮の身を食用油に浸漬することによって、若い消費者層にも広く受け入れられる上、食べ易く、他の食材と合わせて調理することも容易な鰮の加工食品と、その製造方法を提供することにある。
【０００６】
【課題を解決するための手段】
かかる目的を達成するためのこの出願に係る第１発明の構成は、糠漬けした鰮の身を食用油に浸漬することをその要旨とする。
【０００７】
なお、食用油は、脱ろう済みの胡麻（ごま）油であってもよい。
【０００８】
第２発明の構成は、糠漬けした鰮を水洗いして身を解ぐし、容器に投入して食用油を充填することをその要旨とする。
【０００９】
なお、鰮は、水洗い後に焼いてもよく、容器には、唐辛子を投入してもよい。
【００１０】
また、鰮は、身から骨を除去してもよい。
【００１１】
【作用】
かかる第１発明の構成によるときは、糠漬けした鰮の身は、食用油に浸漬されているから、そのままアンチョビ風の食材として美味に食することができる上、焼そば、スパゲッティ、コロッケ等の素材に添加することにより、焼き物、炒め物、揚げ物等の食材としても利用することができる。なお、鰮の身は、糠を落とし、背骨等を除去して解ぐしてあるから、適量を容易に取り出すことができ、調理も極めて容易である。
【００１２】
食用油は、脱ろう済みの胡麻油を使用することにより、鰮の身を長期に亘って安定に保存することができるとともに、鰮の身に独特の風味を加えることができる。なお、胡麻油は、胡麻原料を７０℃において約１５分間培煎し、圧搾して濾過し、電熱加熱方式により温度２５０℃において１８０分程度の脱臭処理を施し、９℃において約１００時間、４℃において約４８時間放置した後に上澄みを濾過して脱ろう処理することにより、粘度が低く、臭いが極めて少なく、透明度が高い高品質の油を作ることができる。
【００１３】
第２発明の構成によるときは、糠漬けした鰮は、水洗いして身を解ぐし、容器に投入して食用油を充填することにより、長期保存可能な製品として完成することができる。
【００１４】
なお、水洗いした鰮は、軽く焼くことにより、身を適当に固くさせ、不用な油分を除去することができ、身を容易に解ぐすことができる。なお、このとき、炭火焼きを採用することにより、独特の香り、風味を加えることができる。また、炭火焼きは、焦げが発生しないように、温度１２０℃、時間４〜５分程度に留めることが好ましい。
【００１５】
容器に唐辛子を投入すれば、唐辛子は、鰮の身の風味を長期間に亘って安定に保つことができ、保存期間を長くして商品価値を一層向上させることができる。なお、唐辛子は、乾燥した赤唐辛子が好適である。
【００１６】
鰮の身から骨を除去すれば、鰮は、一層食べ易い食材にすることができる。なお、骨は、身を解ぐすと同時に背骨と小骨の一部とを除去すればよく、多少の小骨が残留していても構わない。
【００１７】
【発明の実施の形態】
以下、図面を以って発明の実施の形態を説明する。
【００１８】
鰮の加工食品は、糠漬けした鰮の身１１、１１…を食用油１２に浸漬してなる（図１）。
【００１９】
鰮のフレーク状の身１１、１１…は、食用油１２とともに容器１５に収容されており、蓋１５ａを介して密栓されている。なお、容器１５の底部には、唐辛子１３が収納されている。身１１、１１…は、蓋１５ａを開けて容器１５から適量を取り出し、そのままアンチョビ風の食材として食することができ、生野菜とともにサラダにしたり、パン等に載せたりして格別な風味を楽しむことができる。また、身１１、１１…は、適当な食材に添加し、焼く、炒める、揚げる等の任意の加熱調理を施して味付けすることにより、焼き物、炒め物、揚げ物等の食材として、または、その調味料として利用することができる。
【００２０】
かかる鰮の加工食品は、図２の製造工程に従って製造する。
【００２１】
すなわち、糠漬けした鰮は、糠を落しながら樽から取り出し、水道水等の真水によって水洗いして糠を取り除き、軽く炭火焼きして鰮の身を固くする。
【００２２】
次に、鰮は、背骨、小骨等の骨を除去し、尾部分約１cm程度を切除するとともに、胴部を約２cm程度の身１１、１１…に解ぐす。なお、小骨は、適当に残留していてもよい。つづいて、加熱殺菌処理した容器１５に唐辛子１３を投入し、身１１、１１…を容器１５に投入して食用油１２を充填し、蓋１５ａを閉じ、容器１５にラベルを貼り付けて包装し、製品として完成する。なお、食用油１２は、容器１５の口部から約３mm以上の空隙を残すことにより、開封時に容器１５から漏出してしまうおそれを最少にすることができる。
【００２３】
食用油１２は、脱ろう済みの胡麻油を使用することが好ましい。食用油１２は、容器１５内において濁ることがなく、身１１、１１…の風味を長期に亘って安定に保つことができる。ただし、食用油１２は、胡麻油に代えて、高品質のサラダ油や、オリーブ油等であってもよい。
【００２４】
【発明の効果】
以上説明したように、この出願に係る第１発明によれば、糠漬けした鰮の身は、食用油に浸漬することによって、アンチョビ風の食品としてそのまま美味に食することができるから、若い消費者層にも広く受け入れられる上、食べ易く、他の食材と合わせて調理することも極めて容易であるという優れた効果がある。
【００２５】
第２発明によれば、糠漬けした鰮を水洗いして身を解ぐし、容器に投入して食用油を充填することによって、第１発明に係る加工食品を簡単に製造することができる。
【図面の簡単な説明】
【図１】  加工食品の構成説明図
【図２】  製造工程図
【符号の説明】
１１…身
１２…食用油
１３…唐辛子
１５…容器
【図１】
0003924691.tif 000002
【図２】
0003924691.tif 000003
(57)【特許請求の範囲】
【請求項１】
駐車場の奥側に１対の管状の支柱を車幅間隔に立て、その間に回転自由な車体保護シート巻き取り軸を設ける、車体保護シート巻き取り軸には車体保護シート巻き取り軸より細い回転支軸を固着し、これを支柱の上部に水平方向に通して支柱内の回転支軸に紐でおもりを下げる、これにより車体保護シート巻き取り軸に巻かれた車体保護シートを車体に取り付けたときおもりが支柱内の上部に上り、取り外すときおもりが下部に下がる重力で、一体化した回転支軸と車体保護シート巻き取り軸が回転して車体保護シートを半自動的に巻き取る装置。
【発明の詳細な説明】
【０００１】
【発明の属する技術分野】
本発明は自動車を自然な汚れから保護するシートの取り付け及び取り外しを簡単にする装置である。
【０００２】
【従来の技術】
従来の車体カバーは上面と側面を保護する大きな袋状のもので、取り付け、取り外しのときは自動車のトランク又は倉庫等から出し入れしていた。
【０００３】
【発明が解決しようとする課題】
車体カバーシートを取り付けるときシートが大きすぎるために方向、裏表が分かりにくく取り外しのときは  折り畳み、収納場所、が不便である。またシートについた汚れで衣服を汚すこともある。これらの問題点を課題とした
【０００４】
【課題を解決するための手段】
車体保護シートを１枚の軽量なシートにし  車体の上面だけの保護を目的にしてシートを巻き取るための負荷を少なくしたことにより、収納方法を巻き軸の回転軸に重りを巻きつけ、シートを取り外すときに回転軸が重りの重さで回り、車体保護シートを巻き取ることができるようにした。
【０００５】
【発明の実施の形態】
本発明を図面を参照に説明するとシート巻き取り軸３に巻き取られた車体保護シート５を引きロープ６で車体の前方又は後方に引き車体下部７に引っ掛ける、このとき重り９は支柱内最上部に移動している、この状態では保護シート５は重り９の重量で車体下部７の方向より支柱の方向に引っ張られている。
車体下部に引っ掛けた引きロープ６をはずすと、重り９の重量で巻き取り軸３が回転してシート巻き取り軸３に保護シート５を半自動的に巻き取る。
【０００６】
【発明の効果】
本発明により自動車の上部からの雨やほこり等の汚れを保護しシートの取り付け及び取り外しも簡単になり、シートの収納場所も出し入れも不要になり、衣服も汚れなくてよくなる。
【図面の簡単な説明】
【図１】本発明の実施の形態を示す立体図である
【図２】本発明の側面図である
【図３】支柱巻取り部断面図である
【符号の説明】
１  支柱
２  支柱固定台
３  シート巻き取り軸
４  回転軸
５  車体保護シート
６  引きロープ
７  引きロープ引っ掛け位置
８  自動車
９  重り
１０  重り巻き取り紐
１１  ベアリング
【図１】
0003924697.tif 000002
【図２】
0003924697.tif 000003
【図３】
0003924697.tif 000004
(57)【特許請求の範囲】
【請求項１】
表面材と、前記表面材の裏面に接するように配設された発熱線と、前記発熱線を覆う軟質発泡樹脂と、その下部の裏材からなる本体を備え、前記軟質発泡樹脂は発泡成型にて前記発熱線の周囲と前記表面材下部全体に構成させるとともに、本体の裏面側には、前記本体を２つ折りの後、４つ折りするそれぞれの折目位置に折溝を構成するとともに、２つ折りする時に用いる折溝の溝幅をＳ１、４つ折りする時に用いる折溝の溝幅をＳ２としたとき、Ｓ１＜Ｓ２の関係に設定した面状採暖具。
【請求項２】
折溝は必要最小限の横断線を除いた発熱線の配線方向と略平行に設定した請求項１記載の面状採暖具。
【発明の詳細な説明】
【０００１】
【産業上の利用分野】
本発明は、電気カーペットなどの面状採暖具の構成に関する。
【０００２】
【従来の技術】
従来この種の面状採暖具は、図６に示すようにコード状のチュービングヒータよりなる発熱線２１をニードルパンチフェルト（繊維の綿）の断熱材２２上に配線し、その上に熱接着シート２３、表面材２４を順次配置し、上から熱プレスによって熱接着シート２３を溶かしつつ圧着して断熱材２２と表面材２４を接着し発熱線２１を断熱材２２と表面材２４の間に固定した後、外周部を糸２５でオーバーロックする構成となっている。また、面状採暖具の上には汚れ防止やインテリアとしてのカバー２６を使用する。尚、熱接着シート２３の代わりに接着剤を使って表面材２４と発熱線２１と断熱材２２を固定する構成のものもある。
【０００３】
【発明が解決しようとする課題】
しかし上記従来の面状採暖具では、繊維材である断熱材や表面材を熱プレスにより単に圧着して構成するため、本体が押し固められ硬くなってしまうため、クッション性が得にくくなる課題を有していた。この課題を解決するため、断熱材の厚みを増すことで対応を図ることが考えられたが、厚みが増すことは即ち収納時に本体を折り畳む時、かさばって折り畳みにくくなるという異なる課題につながり、両課題を解決する構成とすることはできなかった。
【０００４】
【課題を解決するための手段】
本発明は、上記課題を解決するために、表面材と、前記表面材の裏面に接するように配設された発熱線と、前記発熱線を覆う軟質発泡樹脂と、その下部の裏材からなる本体を備え、前記軟質発泡樹脂は発泡成型にて前記発熱線の周囲と前記表面材下部全体に構成させるとともに、本体の裏面側には、前記本体を２つ折りの後、４つ折りするそれぞれの折目位置に折溝を構成するとともに、２つ折りする時に用いる折溝の溝幅をＳ１、４つ折りする時に用いる折溝の溝幅をＳ２としたとき、Ｓ１＜Ｓ２の関係に設定したものである。
【０００５】
上記発明によれば、敷物としての高いクッション性を確保しつつ、かつ収納時にコンパクトに折り畳みができる面状採暖具を提供することができる。
【０００６】
【発明の実施の形態】
本発明は、表面材と、前記表面材の裏面に接するように配設された発熱線と、前記発熱線を覆う軟質発泡樹脂と、その下部の裏材からなる本体を備え、前記軟質発泡樹脂は発泡成型にて前記発熱線の周囲と前記表面材下部全体に構成させるとともに、本体の裏面側には、前記本体を２つ折りの後、４つ折りするそれぞれの折目位置に折溝を構成するとともに、２つ折りする時に用いる折溝の溝幅をＳ１、４つ折りする時に用いる折溝の溝幅をＳ２としたとき、Ｓ１＜Ｓ２の関係に設定したものである。
【０００７】
したがって、クッション性に優れたものにすることができると共に、使用しない際にはコンパクトに折りたたむことができる。
【０００８】
また、折溝は必要最小限の横断線を除いた発熱線の配線方向と略平行に設定した。そのため、発熱線の折り曲げに対する反発力を極力抑えることができ、より折り畳みやすくすることができる。
【０００９】
【実施例】
以下、本発明の実施例について図面に基づいて詳細に説明する。
【００１０】
（実施例１）
図１は本発明の実施例１の面状採暖具の断面構成図である。表面材１の裏面側には発熱線２が配設されている。さらに発熱線２の周囲及び表面材１の下面にはポリウレタンの軟質発泡樹脂３、その下に裏材４を一体成形構成している。さらにこの面状採暖具の裏面側には、前記面状採暖具を２つ折り、又は４つ折りする際に折り目となる位置に軟質発泡樹脂３と表面材１、発熱線２、裏材４とを一体成型する際に用いる成型金型に予め設けられた形状で形成された折溝５が設けられている。
【００１１】
次に作用について説明する。この面状採暖具は軟質発泡樹脂３により構成されることにより、高いクッション性を確保することができる。また従来のフェルト材（繊維材）では形成することが困難であった折溝５を本構成にすることにより一体成型金型により容易に形成でき、その結果、これらの折溝５により面状採暖具は容易にかつコンパクトに折り畳みすることが可能となる。図２に本発明の実施例１の面状採暖具の折り畳み例の概略図を示す。
【００１２】
（実施例２）
図３は本発明の実施例２の面状採暖具の概略構成図である。面状採暖具には、図３に示す通り面状に発熱線２が配設されている。また、裏面側に構成された折溝５は、前記発熱線２の配設方向に対し、必要最少限の横断線を除きおおよそ平行して構成されているものである。
【００１３】
次に作用について説明する。発熱線２の配設方向に対し略平行して設けられた折溝５を折目として折り畳むことにより、発熱線２に対して負荷を与える部位が極力少なくすることができる。また、発熱線２に対して直交して折り曲げる部位が少ないことは即ち、発熱線２の折り曲げによる反発力が少なくてすむこととなり、結果面状採暖具は折り畳みやすくなる。
【００１４】
（実施例３）
図４は本発明の実施例３の面状採暖具の断面構成図である。図４に示す通り、面状採暖具を２つ折りする時に用いる折溝５ａの溝幅に対して、４つ折りする時に用いる折溝５ｂの溝幅をより広く設けものである。
【００１５】
次に作用について説明する。図５に本発明の実施例３の面状採暖具の折り畳み例の概略図を示す。図５に示す通り、面状採暖具を２つ折りすることで、厚みは２重となり更に折り畳みするには厚みが増えたことを配慮した位置に折溝が構成されることが望ましい。実施例３の面状採暖具に設けられた折溝５ｂは、溝幅が広く構成されていることにより、折り畳みを容易にすることができる。
【００１６】
【発明の効果】
以上のように本発明によれば、本体が軟質発泡樹脂で構成されることにより、クッション性に優れ、しかも、不使用時にはコンパクトに折りたためるので収納性などを大いに高めることができるものである。
【図面の簡単な説明】
【図１】  本発明の実施例１の面状採暖具の断面構成図
【図２】  同面状採暖具の折り畳み例の概略図
【図３】  本発明の実施例２の面状採暖具の概略構成図
【図４】  本発明の実施例３の面状採暖具の断面構成図
【図５】  同面状採暖具の折り畳み例の概略図
【図６】  従来の面状採暖具の構成斜視図
【符号の説明】
１  表面材
２  発熱線
３  軟質発泡樹脂
４  裏材
５  折溝
【図１】
0003924936.tif 000002
【図２】
0003924936.tif 000003
【図３】
0003924936.tif 000004
【図４】
0003924936.tif 000005
【図５】
0003924936.tif 000006
【図６】
0003924936.tif 000007